(57)【要約】【課題】噴霧動作中に停止スイッチに対する誤った停止操作が行われた場合においても安定した噴霧動作を実行可能にする耳鼻咽喉科用噴霧装置を得る。【解決手段】モジュール制御部の制御下において、ステップＳ５において、停止スイッチに対する停止操作が行われもその継続時間が第１の判定時間ＪＴ１未満であった場合(NO)はステップＳ６に移行し、噴霧動作は継続される。一方、停止操作の継続時間が第１の判定時間ＪＴ１以上（ステップＳ５でＹＥＳ）、第２の判定時間ＪＴ２未満（ステップＳ１０でＮＯ）であった場合、ステップＳ８で一時停止処理を行われた後、ステップＳ１２の噴霧動作の再開時に残存時間を新たな設定時間として噴霧動作を行うための再開制御が可能となる。【選択図】図４
2012217500.tif 000002
【特許請求の範囲】
【請求項１】
開始スイッチの所定の開始操作によって設定時間分の噴霧動作を行う耳鼻咽喉科用噴霧装置であって、
前記噴霧動作を実行可能な噴霧動作実行部と、
継続して所定の停止操作が可能な停止スイッチと、
前記噴霧動作実行部による前記噴霧動作の実行時において、前記停止スイッチに対する前記所定の停止操作の有無を検知し、前記所定の停止操作が第１の判定時間以上継続された時に前記噴霧動作実行部による前記噴霧動作を停止させる停止制御を行う制御部とを備える、
耳鼻咽喉科用噴霧装置。
【請求項２】
請求項１記載の耳鼻咽喉科用噴霧装置であって、
前記制御部は、
前記停止制御実行後、前記開始スイッチの前記所定の開始操作をトリガとして噴霧動作実行部による前記噴霧動作を再開させ、前記停止制御実行時までの前記噴霧動作実行時間分を前記設定時間から差し引いた残存時間分の前記噴霧動作を実行させる再開制御を行う、
耳鼻咽喉科用噴霧装置。
【請求項３】
請求項１あるいは請求項２記載の耳鼻咽喉科用噴霧装置であって、
前記制御部は、
前記所定の停止操作が第１の判定時間より長い第２の判定時間以上継続された場合、前記残存時間を“０”にリセットするリセット機能を有する、
耳鼻咽喉科用噴霧装置。
【請求項４】
請求項１ないし請求項３のうち、いずれか１項に記載の耳鼻咽喉科用噴霧装置であって、
前記噴霧動作を受ける利用者が視覚認識可能な複数の発光体を有する表示部をさらに備え、
前記制御部は、前記噴霧動作の実行時間に応じた内容で前記表示部の前記複数の発光体における発光状態を制御する表示制御をさらに行う、
耳鼻咽喉科用噴霧装置。
【請求項５】
請求項１ないし請求項４のうち、いずれか１項に記載の耳鼻咽喉科用噴霧装置であって、
所定の非常停止操作が可能な非常停止用スイッチをさらに備え、
前記制御部は、
前記非常停止用スイッチの前記所定の非常停止操作をトリガとして前記噴霧動作実行部による前記噴霧動作を直ちに停止させる非常停止制御を行う、
耳鼻咽喉科用噴霧装置。
【発明の詳細な説明】
【技術分野】
【０００１】
この発明は、耳鼻咽喉科の治療の際に患者に薬液を噴霧する耳鼻咽喉科用噴霧装置に関する。
【背景技術】
【０００２】
従来、耳鼻咽喉科などの治療においては、加圧空気源からの加圧空気によって薬液霧を患者の咽頭や鼻腔に吸入させるネブライザキャビネットと呼ばれる耳鼻咽喉科用噴霧装置が用いられていた。薬液の噴霧時間は治療内容により若干異なるが、平均的には３〜５分程度である。患者はその３〜５分程度の間中、噴霧された薬液を吸入している必要があったが、その間は何もすることがなく、ただじっと座っておくだけであった。
【０００３】
利用者である患者は、噴霧中はただじっと座っておくだけであり退屈であった。退屈な状態の解消を図るべく、薬液の噴霧時間、静止画及び動画のうち少なくとも１つを表示する表示部を備えた耳鼻咽喉科用噴霧装置が例えば特許文献１に開示されている。
【先行技術文献】
【特許文献】
【０００４】
【特許文献１】特開２００９−１１６６９号公報
【発明の概要】
【発明が解決しようとする課題】
【０００５】
しかしながら、上記表示部を備えた耳鼻咽喉科用噴霧装置においても、特に患者が子どもの場合、じっと座っておくことができずに停止ボタン等を誤って押圧する等の停止スイッチに対する停止操作を行ってしまい、噴霧中にも拘わらず噴霧動作を強制停止させてしまうという問題点があった。
【０００６】
強制停止された場合、開始スイッチに対する開始操作を行うことにより噴霧動作を再開させることができるが、この場合、再度、最初から噴霧動作を行うことになり、停止前後のトータルの噴霧時間は当初予定した噴霧時間を上回ってしまい適切な薬液量の噴霧又は噴霧時間の噴霧動作の患者への提供を困難にしている問題点もあった。
【０００７】
従来の耳鼻咽喉科用噴霧装置は以上のように構成されており、噴霧動作中に停止スイッチに対し利用者が誤って停止操作を行うと噴霧動作を強制停止させてしまうという問題点があった。
【０００８】
この発明は上記問題点を解決するためになされたもので、噴霧動作中に停止スイッチに対する誤った停止操作が行われた場合においても安定した噴霧動作を実行可能にする耳鼻咽喉科用噴霧装置を得ることを目的とする。
【課題を解決するための手段】
【０００９】
この発明に係る請求項１記載の耳鼻咽喉科用噴霧装置は、開始スイッチの所定の開始操作によって設定時間分の噴霧動作を行う耳鼻咽喉科用噴霧装置であって、前記噴霧動作を実行可能な噴霧動作実行部と、継続して所定の停止操作が可能な停止スイッチと、前記噴霧動作実行部による前記噴霧動作の実行時において、前記停止スイッチに対する前記所定の停止操作の有無を検知し、前記所定の停止操作が第１の判定時間以上継続された時に前記噴霧動作実行部による前記噴霧動作を停止させる停止制御を行う制御部とを備える。
【００１０】
請求項２の発明は、請求項１記載の耳鼻咽喉科用噴霧装置であって、前記制御部は、前記停止制御実行後、前記開始スイッチの前記所定の開始操作をトリガとして噴霧動作実行部による前記噴霧動作を再開させ、前記停止制御実行時までの前記噴霧動作実行時間分を前記設定時間から差し引いた残存時間分の前記噴霧動作を実行させる再開制御を行う。
【００１１】
請求項３の発明は、請求項１あるいは請求項２記載の耳鼻咽喉科用噴霧装置であって、前記制御部は、前記所定の停止操作が第１の判定時間より長い第２の判定時間以上継続された場合、前記残存時間を“０”にリセットするリセット機能を有する。
【００１２】
請求項４の発明は、請求項１ないし請求項３のうち、いずれか１項に記載の耳鼻咽喉科用噴霧装置であって、前記噴霧動作を受ける利用者が視覚認識可能な複数の発光体を有する表示部をさらに備え、前記制御部は、前記噴霧動作の実行時間に応じた内容で前記表示部の前記複数の発光体における発光状態を制御する表示制御をさらに行う。
【００１３】
請求項５の発明は、請求項１ないし請求項４のうち、いずれか１項に記載の耳鼻咽喉科用噴霧装置であって、所定の非常停止操作が可能な非常停止用スイッチをさらに備え、前記制御部は、前記非常停止用スイッチの前記所定の非常停止操作をトリガとして前記噴霧動作実行部による前記噴霧動作を直ちに停止させる非常停止制御を行う。
【発明の効果】
【００１４】
請求項１記載の本願発明によれば、制御部による停止制御は、停止スイッチに対する所定の停止操作が第１の判定時間以上継続された時にはじめて噴霧動作実行部による噴霧動作を停止させている。
【００１５】
このため、噴霧装置の利用者が噴霧動作中に誤って停止スイッチに対し所定の停止操作を行った場合でも、その継続時間が第１の判定時間未満であれば実行中の噴霧動作を停止させることなく継続させることができる。
【００１６】
その結果、請求項１記載の本願発明は、子供のいたずら等の停止スイッチに対する誤動作によっても停止することなく安定した噴霧動作を実行可能にするという効果を奏する。
【００１７】
請求項２記載の本願発明によれば、制御部は、停止制御実行後に噴霧動作を再開させる際、停止制御実行時までの噴霧動作実行時間分を上記設定時間から差し引いた残存時間分の噴霧動作を実行させる再開制御を行っている。
【００１８】
その結果、停止スイッチによって噴霧動作を一時停止させた場合においても、一時停止前後トータルで設定時間分の噴霧動作を実行することができるため、利用者に適切な実行時間の噴霧動作を提供することができる。
【００１９】
請求項３記載の本願発明によれば、制御部は所定の停止操作が第１の判定時間より長い第２の判定時間以上継続された場合、上記残存時間を“０”にリセットするリセット機能を有しているため、設定時間内においても噴霧動作を強制終了させることができる。
【００２０】
請求項４記載の本願発明によれば、噴霧装置の利用者が複数の発光体の発光状態を参照して視覚的に容易に噴霧動作の進行状況を理解することができる。
【００２１】
請求項５記載の本願発明によれば、非常用停止スイッチに対し所定の非常停止操作を行うことにより、緊急時等において噴霧動作を速やかに強制終了させることができる。
【図面の簡単な説明】
【００２２】
【図１】この発明の実施の形態である耳鼻咽喉科用噴霧ユニットの構成を示す正面図である。
【図２】耳鼻咽喉科用噴霧ユニットにおいて第１の制御・駆動系を採用した耳鼻咽喉科用噴霧ユニットの制御・駆動系の構成を示すブロック図である。
【図３】耳鼻咽喉科用噴霧ユニットにおいて第２の制御・駆動系を採用した耳鼻咽喉科用噴霧ユニットの制御・駆動系の構成を示すブロック図である。
【図４】耳鼻咽喉科用噴霧ユニットにおける各噴霧装置の動作内容を示すフローチャートである。
【発明を実施するための形態】
【００２３】
＜装置概要＞
図１はこの発明の実施の形態である耳鼻咽喉科用噴霧ユニット１の構成を示す正面図である。同図に示すように、耳鼻咽喉科用噴霧ユニット１は３台の（耳鼻咽喉科用）噴霧装置１０ａ〜１０ｃから構成され、同時に３人の患者に対する噴霧動作を可能にしている。
【００２４】
以下、噴霧装置１０ａ〜１０ｃを総称した一単位の噴霧装置１０についてその構成を説明する。噴霧装置１０は、正面部に表示部２（２ａ〜２ｃ）が設けられ、表示部２の下方に図中右から、停止スイッチ４（４ａ〜４ｂ）、開始スイッチ３（３ａ〜３ｃ）、及びジョイント部７（７ａ〜７ｃ）を有している。
【００２５】
表示部２は７つの発光体Ｌ１〜Ｌ７から構成され、発光体Ｌ１〜Ｌ７は後述するモジュール制御部の制御下で各々所定の発光色で点灯、点滅、消灯等の発光状態を呈することができる。
【００２６】
開始スイッチ３は押圧による開始操作（所定の開始操作）が可能であり、この開始操作をトリガとして噴霧装置１０による噴霧動作を開始させることができる。開始スイッチ３は点灯式を採用し噴霧動作時に点灯するようにしても良い。
【００２７】
噴霧動作が開始されると設定時間分の噴霧動作を行う。具体的には、ジョイント部７に接続される図示しないホース及び噴霧部マスク等を介して、利用者である患者の咽頭や鼻腔に薬液霧を噴出する。
【００２８】
停止スイッチ４は押圧による停止操作（所定の停止操作）が可能であり、この停止操作は継続して実行することができる。そして、第１の判定時間ＪＴ１（０．５秒程度）以上継続して停止操作を行うことにより噴霧装置１０による噴霧動作を一時停止させることができ、さらに、第１の判定時間ＪＴ１より長い第２の判定時間ＪＴ２（１秒程度）以上継続して停止操作を行うことにより噴霧動作を完全停止させることができる。
【００２９】
なお、一時停止とは設定時間の残存時間分における噴霧動作の再開を可能にした停止を意味し、完全停止とは設定時間の残存時間分は無効にして噴霧動作を完全に終了状態にする停止を意味する。
【００３０】
停止スイッチ４は点灯式を採用し停止処理時に点灯するようにしても良い。この場合、一時停止時には点滅状態、完全停止時には点灯状態にして停止状態を識別可能にしても良い。
【００３１】
ジョイント部７は図示しない接続ホースの一端を接続し、接続ホースの他端に設けた噴霧部マスクを介して、噴霧動作時に患者の咽頭や鼻腔に薬液霧を吸入することができる。
【００３２】
制御・駆動部６（６ａ〜６ｃ）は、開始スイッチ３に対する開始操作や停止スイッチ４に対する停止操作に応答して噴霧動作を制御・駆動する部分である。
【００３３】
メインスイッチ５は耳鼻咽喉科用噴霧ユニット１の動作電源のオン／オフ用のスイッチであり所定のオン操作によって噴霧装置１０ａ〜１０ｃに電源供給を行い、オフ操作によって噴霧装置１０ａ〜１０ｃへの電源供給を遮断する。
【００３４】
＜制御系＞
図２は耳鼻咽喉科用噴霧ユニット１において第１の制御・駆動系を採用した耳鼻咽喉科用噴霧ユニット１Ａの制御・駆動系の構成を示すブロック図である。
【００３５】
同図に示すように、電源部３１より噴霧装置１０ａ〜１０ｃに電源が供給される。以下、噴霧装置１０ａ〜１０ｃを総称した一単位の噴霧装置１０についてその構成を説明する。
【００３６】
制御・駆動部６はモジュール制御部１１（１１ａ〜１１ｃ）、タイマー部１２（１２ａ〜１２ｃ）、噴霧時間設定部１３（１３ａ〜１３ｃ）、コンプレッサー部１４（１４ａ〜１４ｃ）、三方電磁弁１５（１５ａ〜１５ｃ）及び噴霧器１６（１６ａ〜１６ｃ）から構成される。
【００３７】
モジュール制御部１１はプログラマブルコントローラ（ＰＣ）等により構成され、開始スイッチ３に対する開始操作及び停止スイッチ４に対する停止操作を検出可能であり、表示部２の発光体Ｌ１〜Ｌ７の発光状態の制御が可能である。
【００３８】
さらに、モジュール制御部１１は、開始スイッチ３に対する開始操作をトリガとして、噴霧時間設定部１３で設定された設定時間分の噴霧動作が行われるようにタイマー部１２の時間設定、起動等の制御を行い、コンプレッサー部１４による圧力空気及び三方電磁弁１５の開閉動作を制御して、噴霧器１６から薬液霧を噴出させる。なお、噴霧時間設定部１３として複数の設定時間に対応した複数の設定時間用スイッチ等が考えられる。
【００３９】
モジュール制御部１１は停止スイッチ４に対する停止操作が第１の判断時間ＪＴ１以上継続したことを検出した場合、タイマー部１２の停止等の制御を行い、コンプレッサー部１４による圧力空気及び三方電磁弁１５の開閉動作を制御して、噴霧動作を一時停止して噴霧器１６から薬液霧の噴出を一時的に停止させる一時停止用の停止制御を行う。
【００４０】
さらに、モジュール制御部１１は停止スイッチ４に対する停止操作が、第１の判定時間ＪＴ１より長い第２の判断時間ＪＴ２以上継続したことを検出した場合、タイマー部１２の時間設定（リセット）等の制御を行い完全停止用の停止制御を行う。
【００４１】
加えて、モジュール制御部１１は、一時停止後、開始スイッチ３に対する開始操作をトリガとして、一時停止用の停止制御実行時までの噴霧動作実行時間分を設定時間から差し引いた残存時間分の噴霧動作が行われるようにタイマー部１２の時間設定、起動等の制御を行い、コンプレッサー部１４による圧力空気及び三方電磁弁１５の開閉動作を制御して、噴霧器１６から薬液霧を再度噴出させる。
【００４２】
なお、耳鼻咽喉科用噴霧ユニット１Ａは各噴霧装置１０にコンプレッサー部１４を設ける構成であるため、噴霧器１６，コンプレッサー部１４間の距離が比較的近くなるため、噴霧動作の開始をスムーズに行うべくコンプレッサー部１４，噴霧器１６は排気を逃がすため三方電磁弁１５を設けることが望ましい。
【００４３】
図３は耳鼻咽喉科用噴霧ユニット１において第２の制御・駆動系を採用した耳鼻咽喉科用噴霧ユニット１Ｂの制御・駆動系の構成を示すブロック図である。
【００４４】
同図に示すように、電源部３２より噴霧装置１０ａ〜１０ｃに電源が供給される。さらに、コンプレッサー部３４より噴霧装置１０ａ〜１０ｃに圧力空気が供給される。
【００４５】
以下、噴霧装置１０ａ〜１０ｃを総称した一単位の噴霧装置１０についてその構成を説明する。
【００４６】
制御・駆動部６はモジュール制御部２１（２１ａ〜２１ｃ）、タイマー部２２（２２ａ〜２２ｃ）、噴霧時間設定部２３（２３ａ〜２３ｃ）、噴霧器２５（２５ａ〜２５ｃ）及び電磁弁２６（２６ａ〜２６ｃ）から構成される。
【００４７】
モジュール制御部２１は開始スイッチ３に対する開始操作をトリガとして、噴霧時間設定部２３で設定された設定時間分の噴霧動作が行われるようにタイマー部２２の時間設定、起動等の制御を行い、コンプレッサー部３４による圧力空気及び電磁弁２６の開閉動作を制御して、噴霧器２５から薬液霧を噴出させる。なお、噴霧時間設定部２３として複数の設定時間に対応した複数のスイッチ等が考えられる。
【００４８】
モジュール制御部２１は停止スイッチ４に対する停止操作が第１の判断時間ＪＴ１以上継続したことを検出した場合、タイマー部２２の時間設定、停止等の制御を行い、コンプレッサー部３４による圧力空気及び電磁弁２６の開閉動作を制御して、噴霧動作を一時停止して噴霧器２５から薬液霧の噴出を一時的に停止させる一時停止用の停止制御を行う。
【００４９】
モジュール制御部２１は停止スイッチ４に対する停止操作が、さらに第１の判定時間ＪＴ１より長い第２の判断時間ＪＴ２以上継続したことを検出した場合、タイマー部２２の時間設定（リセット）等の完全停止用の停止制御を行う。
【００５０】
加えて、モジュール制御部２１は、一時停止後、開始スイッチ３に対する開始操作をトリガとして、一時停止用の停止制御実行時までの噴霧動作実行時間分を設定時間から差し引いた残存時間分の噴霧動作が行われるようにタイマー部２２の時間設定、起動等の制御を行い、コンプレッサー部３４による圧力空気及び電磁弁２６の開閉動作を制御して、噴霧器２５から薬液霧を再度噴出させる。
【００５１】
なお、耳鼻咽喉科用噴霧ユニット１Ｂにおいて、コンプレッサー部３４は噴霧装置１０ａ〜１０ｃ間で共用されているため、噴霧装置１０ａ〜１０ｃの少なくとも一つが噴霧動作を行う場合はコンプレッサー部３４を動作させて圧力空気を供給させ、噴霧装置１０ａ〜１０ｃの全てが噴霧動作を行わない完全停止状態の場合はコンプレッサー部３４を動作停止させる等の制御が行われる。
【００５２】
また、耳鼻咽喉科用噴霧ユニット１Ｂにおいて、コンプレッサー部３４は噴霧装置１０ａ〜１０ｃ間で共用されているため、噴霧器２５ａ〜２５ｃとコンプレッサー部３４間の距離が比較的長くなるため、コンプレッサー部３４，噴霧器２５間は一般的な電磁弁２６を設けることで十分処理可能である。
【００５３】
＜動作フロー＞
図４は耳鼻咽喉科用噴霧ユニット１における各噴霧装置１０の動作内容を示すフローチャートである。
【００５４】
なお、耳鼻咽喉科用噴霧ユニット１Ａ及び耳鼻咽喉科用噴霧ユニット１Ｂ間において主要な相違点はコンプレッサー部１４，３４が噴霧装置１０ａ〜１０ｃごとに個別に存在するか、共用されるかであるため、動作内容の実質的な相違点は無いことから耳鼻咽喉科用噴霧ユニット１Ａを代表させて説明する。したがって、耳鼻咽喉科用噴霧ユニット１Ｂについては一部、カッコ内に参照符号を付するに留める。
【００５５】
同図を参照して、ステップＳ１において、耳鼻咽喉科用噴霧ユニット１Ａのメインスイッチ５をオンすることにより噴霧装置１０が電源ＯＮ状態となる。以下、図２で示した耳鼻咽喉科用噴霧ユニット１Ａ（１Ｂ）における噴霧装置１０ａ〜１０ｃを総称した噴霧装置１０の動作内容として説明する。
【００５６】
その後、ステップＳ２において、噴霧装置１０の噴霧時間設定部１３（２３）に対して噴霧動作の設定時間を設定する。例えば、噴霧時間設定部１３が複数の設定時間に対応した複数の時間設定用スイッチから構成される場合、所望の噴霧時間に対応する時間設定用スイッチを選択的にオン状態に設定することにより、所望の噴霧時間が設定時間として設定される。この際、オン状態の時間設定用スイッチに付随して設けたランプを点灯させるようにしても良い。
【００５７】
そして、ステップＳ３において、看護師等が噴霧装置１０の開始スイッチ３に対し押圧による開始操作（所定の開始操作）を行うことにより、開始スイッチがＯＮ状態となり、ステップＳ４で噴霧装置１０によるモジュール制御部１１（２１）による制御下における噴霧動作が開始される。ステップＳ４〜Ｓ１３の処理はモジュール制御部１１の制御下で実行される。
【００５８】
その後、ステップＳ５において、停止スイッチ４に対する押圧による停止操作（所定の停止動作）が第１の判定時間ＪＴ１（０．５秒程度）以上継続した第１の長押し状態が検出された場合(YES)はステップＳ８に移行し、第１の長押し状態が検出されなかった場合(NO)はステップＳ６に移行する。
【００５９】
ステップＳ５で第１の長押し状態が検出されなかった場合(NO)に実行されるステップＳ６において、噴霧動作は継続され、続くステップＳ１３において、設定時間の終了が検出されると(YES)、噴霧動作を終了する。
【００６０】
一方、ステップＳ７において、設定時間が終了していない場合、ステップＳ５に戻る。以降、ステップＳ５でＹＥＳとなるか、ステップＳ７でＹＥＳとなるまでステップＳ５〜Ｓ７が繰り返される。
【００６１】
したがって、停止スイッチ４に対する停止操作が誤って行われても、その停止操作の継続時間が第１の判定時間ＪＴ１未満であれば、ステップＳ５は必ず「ＮＯ」となるため、噴霧動作が停止されることはない。例えば、停止操作が子供のいたずらに起因する場合、過去の実績から０．５秒以上の停止操作が継続されることは実質的に“０”であるため、子供のいたずらによる誤った停止操作によって噴霧動作が停止されることを確実に回避することができる。
【００６２】
一方、ステップＳ５で第１の長押し状態が検出された場合(YES)に実行されるステップＳ８において、モジュール制御部１１の制御下で噴霧動作が強制的に一時停止される一時停止用の停止制御が実行される。
【００６３】
その後、ステップＳ９でモジュール制御部１１はステップＳ４の噴霧動作の開始時からステップＳ８の一時停止までの噴霧動作実行時間を、ステップＳ２で設定された設定時間から差し引いた残存時間を記憶する。
【００６４】
なお、残存時間はモジュール制御部１１内の備わるメモリ（レジスタ）に記憶しても、図示しない外部の記憶部に記憶するようにしても良い。また、タイマー部１２のカウント機能をステップＳ８の一時停止時点で一時カウント停止させることが可能な場合、タイマー部１２を一時カウント停止状態にすることにより、残存時間を記憶するようにしても良い。
【００６５】
そして、ステップＳ１０において、停止スイッチ４に対する停止操作が第２の判定時間ＪＴ２（１秒程度）以上継続して行われる第２の長押し状態が検出された場合(YES)、ステップＳ１１に移行し、第２の長押し状態が検出されなかった場合(NO)はステップＳ１２に移行する。すなわち、ステップＳ１０において、停止スイッチ４に対する停止操作が第１の判定時間ＪＴ１を上回る第２の判定時間ＪＴ２以上継続して行われると。一時停止状態から完全停止状態に切り替えるべくステップＳ１１に移行する。
【００６６】
ステップＳ１０で第２の長押し状態が検出された場合(YES)に実行されるステップＳ１１において、ステップＳ９で記憶した残存時間を“０”にリセットし、噴霧動作を終了する。すなわち、第１の判定時間ＪＴ１以上であっても、さらに第２の判定時間ＪＴ２以上継続して停止スイッチ４に対する停止操作が行われた場合、残存時間を“０”として噴霧動作を完全停止する。
【００６７】
なお、ステップＳ９においてモジュール制御部１１内の備わるメモリ（レジスタ）や外部の記憶部に残存時間を記憶させた場合、ステップＳ１１のリセット処理は、ステップＳ８で記憶させた残存時間を“０”にリセットすることになる。また、ステップＳ８において、タイマー部１２のカウント機能をステップＳ８の一時停止時点で一時カウント停止させた場合、ステップＳ１１のリセット処理は、タイマー部１２部のカウント値を初期値にリセットすることなる。
【００６８】
一方、ステップＳ１０で第２の長押し状態が検出されなかった場合(NO)、ステップＳ１２において、開始スイッチ３に対する再度の開始操作を待つ。ステップＳ１２は再度の開始動作が検出されると(YES)ステップＳ１３に移行し、検出されない場合(NO)はステップＳ１０に戻る。以降、ステップＳ１０でＹＥＳとなる（完全停止処理への移行）か、ステップＳ１２でＹＥＳになる（再開処理への移行）まで、ステップＳ１０，Ｓ１２が繰り返される。
【００６９】
そして、ステップＳ１２でＹＥＳの場合に実行されるステップＳ１３において、噴霧動作を再開する。この際、モジュール制御部１１は、ステップＳ２で設定した設定時間でなく、ステップＳ９で記憶した残存時間を新たな設定時間として噴霧動作を再開するという再開制御を行う。
【００７０】
すなわち、第１の判定時間ＪＴ１以上であり、かつ第２の判定時間ＪＴ２未満の範囲で継続して停止スイッチ４に対する停止操作が行われた場合、一時停止処理を行い、噴霧動作の再開時に残存時間を新たな設定時間として噴霧動作を行うべく制御し、ステップＳ５に戻る。以降、ステップＳ５でＹＥＳとなるか、ステップＳ７でＹＥＳとなるまでステップＳ５〜Ｓ７が繰り返される。
【００７１】
なお、ステップＳ９においてモジュール制御部１１内の備わるメモリ（レジスタ）や外部の記憶部に残存時間を記憶させた場合、ステップＳ１３において、ステップＳ８で記憶させた残存時間が新たな設定時間に設定されることになる。また、ステップＳ８において、タイマー部１２のカウント機能をステップＳ８の一時停止時点で一時カウント停止させた場合、ステップＳ１３において、タイマー部１２部の一時停止時点からカウント再開させることになる。
【００７２】
このように、本実施の形態の耳鼻咽喉科用噴霧ユニット１（１Ａ，１Ｂ）における噴霧装置１０よれば、制御部（モジュール制御部１１、タイマー部１２及び噴霧時間設定部１３）による停止制御は、停止スイッチ４に対する停止操作が第１の判定時間ＪＴ１以上継続された時にはじめて噴霧動作実行部（コンプレッサー部１４（３４）、電磁弁１５（２６）、噴霧器１６（２５））による噴霧動作を停止させている。
【００７３】
このため、噴霧装置１０の利用者である患者等が噴霧動作中に停止スイッチ４に対し誤って停止操作を行った場合でも、その継続時間が第１の判定時間ＪＴ１であれば実行中の噴霧動作を停止させることなく継続させることができる。
【００７４】
その結果、本実施の形態の噴霧装置１０は、子供のいたずら等の停止スイッチに対する誤動作によっても、その継続時間が第１の判定時間ＪＴ１未満であれば停止することなく安定した噴霧動作を実行可能にするという効果を奏する。
【００７５】
さらに、噴霧装置１０における上記制御部は、一時停止処理後に噴霧動作を再開させる際、一時停止処理までの噴霧動作実行時間分をステップＳ２で設定した設定時間から差し引いた残存時間を新たな設定時間として噴霧動作を実行させる再開制御を行っている。
【００７６】
その結果、停止スイッチ４によって噴霧動作を一時停止させた場合においても、一時停止前後トータルでステップＳ２で設定した設定時間分の噴霧動作を実行することができるため、利用者に適切な実行時間の噴霧動作を提供することができる。
【００７７】
さらに、上記制御部は停止操作が第１の判定時間ＪＴ１より長い第２の判定時間ＪＴ２以上継続された場合、上記残存時間を“０”にリセットするリセット機能を有しているため、設定時間内においても噴霧動作を強制終了させる完全停止を行うことができる。
【００７８】
＜表示部２への制御＞
上記制御部におけるモジュール制御部１１（２１）は、噴霧動作の実行時間に応じた内容で表示部２の発光体Ｌ１〜Ｌ７における発光状態を制御する表示制御を行うことができる。例えば、ステップＳ４の噴霧動作の開始時は発光体Ｌ１〜Ｌ７を全て消灯させ、噴霧動作の時間経過と共に発光体Ｌ１，Ｌ２…の順に順次点灯（または点滅）させる、逆にステップＳ４の噴霧動作の開始時は発光体Ｌ１〜Ｌ７を全て点灯（または点滅）させ、噴霧動作の時間経過と共に発光体Ｌ１，Ｌ２…の順に順次消灯される等により、発光体Ｌ１〜Ｌ７の発光状態によって噴霧動作の実行時間を利用者に視覚的に認識させることができる。
【００７９】
また、ステップＳ１３において噴霧動作の再開時には、一時停止処理までの噴霧動作実行時間に対応する発光体Ｌ１〜Ｌ７の表示状態から始まるようにして、新たな設定時間となった残存時間分の時間経過と共に発光体Ｌ１〜Ｌ７における発光状態を制御することが望ましい。例えば、ステップＳ４の噴霧動作の開始時は発光体Ｌ１〜Ｌ７を全て消灯させ、噴霧動作の時間経過と共に発光体Ｌ１，Ｌ２…の順に順次点灯させた際、発光体Ｌ３まで点灯した時にステップＳ８の一時停止状態になった場合、ステップＳ１３の噴霧動作の再開時まで発光体Ｌ１〜Ｌ３の点灯状態を維持させ、噴霧動作の時間経過と共に発光体Ｌ４，Ｌ５…の順に順次点灯させるようにしても良い。
【００８０】
そして、ステップＳ１３の残存時間のリセット処理実行時には、併せて表示部２を初期状態（発光体Ｌ１〜Ｌ７が全て消灯）にすることが望ましい。また、ステップＳ８の一時停止の実行時には表示部２の発光体Ｌ１〜Ｌ７の発光内容を変える（点灯状態を点滅状態にする、発光色を変える等）ことにより、表示部２からも一時停止状態であることが視覚認識可能にすることが望ましい。
【００８１】
また、発光体Ｌ１〜Ｌ７間の順次点灯（または点滅）、順次消灯させる時間間隔も均等にしたり、時間経過と共に短くしたり、長くしたりすることもできる。
【００８２】
このように、モジュール制御部１１によって表示部２の発光体Ｌ１〜Ｌ７の発光状態を制御することにより、噴霧装置１０の利用者が発光体Ｌ１〜Ｌ７の発光状態を参照して視覚的に容易に噴霧動作の進行状況を理解することができる。
【００８３】
＜非常用停止スイッチ９の設置＞
さらに、図１の点線に示すように耳鼻咽喉科用噴霧ユニット１の正面部の右上に非常用停止スイッチ９を別途、設けても良い。
【００８４】
そして、非常用停止スイッチ９の状態を各モジュール制御部１１（２１）に検出可能に非常用停止スイッチ９に接続し、各モジュール制御部１１が非常用停止スイッチ９の非常停止操作をトリガとして上記噴霧動作実行部によるそれぞれの噴霧動作を直ちに停止させる非常停止制御を行うように構成する。
【００８５】
このように、非常用停止スイッチ９を設けることにより、非常用停止スイッチ９に対し非常停止操作を行うことにより、緊急時等において噴霧装置１０ａ〜１０ｃの噴霧動作を速やかに強制終了させることができる効果を奏する。
【００８６】
なお、図１で示した非常用停止スイッチ９は説明の都合上、正面に設けた構成を示したが、実際には患者等の利用者が誤って操作することがない場所に設けることが望ましい。また、図１では非常用停止スイッチ９は噴霧装置１０ａ〜１０ｃ全体の非常停止用に設けたが、停止スイッチ４のように各噴霧装置１０個別に設けるようにしても良い。
【００８７】
＜その他＞
なお、本実施の形態では、３台の噴霧装置１０ａ〜１０ｃからなる耳鼻咽喉科用噴霧ユニット１（１Ａ，１Ｂ）を示したが、耳鼻咽喉科用噴霧ユニット１内に設ける噴霧装置１０の台数は任意である。
【００８８】
また、開始スイッチ３に対する開始操作が継続して行われる長押し操作が誤って行われた場合、噴霧動作の開始後は当該長押し操作の有無に関係なく噴霧動作が継続され、設定時間経過後は噴霧動作を終了し、設定時間経過後においても長押し操作が継続している場合でも再度、噴霧動作が開始されないように防止機能を設けるようにしても良い。
【００８９】
また、本実施の形態では、開始スイッチ３及び停止スイッチ４を個別に設けた例を示したが、開始スイッチ３及び停止スイッチ４の機能を一つのスイッチで対応可能な開始・停止スイッチを設けるようにしても良い。この場合、最初の段階では開始・停止スイッチは開始スイッチとして機能し、開始操作後の噴霧動作中は停止スイッチとして機能するような態様が考えられる。この際、開始スイッチとして機能する場合と停止スイッチとして機能する場合とで点灯色を変えるようにする態様をとるのが望ましい。
【符号の説明】
【００９０】
１，１Ａ，１Ｂ  耳鼻咽喉科用噴霧ユニット
２（２ａ〜２ｃ）  表示部
３（３ａ〜３ｃ）  開始スイッチ
４（４ａ〜４ｃ）  停止スイッチ
５  メインスイッチ
６（６ａ〜６ｃ）  制御・駆動部
７  ジョイント部
９  非常用停止スイッチ
１０（１０ａ〜１０ｃ）  噴霧装置
１１（１１ａ〜１１ｃ），２１（２１ａ〜２１ｃ）  モジュール制御部
１２（１２ａ〜１２ｃ），２２（２２ａ〜２２ｃ）  タイマー部
１３（１３ａ〜１３ｃ），２３（２３ａ〜２３ｃ）  噴霧時間設定部
１４（１４ａ〜１４ｃ），３４  コンプレッサー部
１５（１５ａ〜１５ｃ）  三方電磁弁
１６（１６ａ〜１６ｃ），２５（２５ａ〜２５ｃ）  噴霧器
２６（２６ａ〜２６ｃ）  電磁弁
３１，３２  電源部
【図１】
2012217500.tif 000003
【図２】
2012217500.tif 000004
【図３】
2012217500.tif 000005
【図４】
2012217500.tif 000006